【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
映像データを処理する方法であって、
映像復号器において、外部のインディケーションを備えるメッセージをネットワークエンティティから受信することと、前記ネットワークエンティティは、前記映像復号器とは別個に分離され、
前記映像復号器において、映像ビットストリームを受信することと、ここにおいて、前記映像ビットストリームは、圧縮された映像データを備え、前記映像ビットストリームは、前記外部のインディケーションを備える前記メッセージと別個に受信される、
前記外部のインディケーションに基づいてクリーンランダムアクセス（ＣＲＡ）ピクチャをブロークンリンクアクセス（ＢＬＡ）ピクチャとして取り扱うことと、
を備える、方法。
【請求項２】
前記外部のインディケーションは、フラグの値が前記映像復号器によって、デフォルト値または設定値のうちの一方に設定されるべきかどうかを示し、前記方法は、前記フラグの前記値を前記ネットワークエンティティによって特定された値に設定することをさらに備え、前記外部のインディケーションに基づいて前記ＣＲＡピクチャをＢＬＡピクチャとして取り扱うことは、前記ネットワークエンティティによって特定された前記値に設定された前記フラグの前記値に基づいて前記ＣＲＡピクチャをＢＬＡピクチャとして取り扱うことを備える請求項１に記載の方法。
【請求項３】
前記フラグは、前記ＣＲＡピクチャと関連付けられる請求項２に記載の方法。
【請求項４】
前記フラグの前記デフォルト値は、前記ＣＲＡピクチャがＢＬＡピクチャとして取り扱われるべきでないことを示す、請求項２に記載の方法。
【請求項５】
コーディングされたスライスネットワーク抽象化層（ＮＡＬ）ユニットを復号時に、コーディングされたスライスＮＡＬユニットを復号することと、
前記設定値に設定された前記フラグに基づいて、前記コーディングされたスライスＮＡＬユニットのＮＡＬユニットタイプを変更することをさらに備える請求項２に記載の方法。
【請求項６】
前記フラグは、第１のフラグを備え、前記方法は、コーディングされたスライスＮＡＬユニットを復号時に、前記設定値に設定された前記第１のフラグに基づいて、第２のフラグの値を変更することをさらに備え、前記第２のフラグは、以前の復号されたピクチャの出力を制御する請求項２に記載の方法。
【請求項７】
前記フラグは、第１のフラグを備え、前記方法は、コーディングされたスライスＮＡＬユニットを復号時に、前記設定値に設定された前記第１のフラグに基づいて、第２のフラグの前記値を“１”に設定することをさらに備える請求項２に記載の方法。
【請求項８】
前記コーディングされたスライスＮＡＬユニットを復号することは、前記ＮＡＬユニットタイプを識別するために前記コーディングされたスライスＮＡＬユニットを構文解析することを含む請求項５に記載の方法。
【請求項９】
前記フラグは第１のフラグを備え、コーディングされたスライスＮＡＬユニットを復号時に、前記第１のフラグが１に等しく、コーディングされたスライスＮＡＬユニットのＮＡＬユニットタイプがＣＲＡピクチャを示す場合に、前記方法はＢＬＡピクチャを示すために前記ＮＡＬユニットタイプの前記値を変更することをさらに備える、請求項２に記載の方法。
【請求項１０】
前記フラグは、ＨａｎｄｌｅＣｒａＡｓＢｌａＦｌａｇであり、前記ＨａｎｄｌｅＣｒａＡｓＢｌａＦｌａｇは、特定のＣＲＡピクチャがＢＬＡピクチャとして取り扱われるべきかどうかを示す請求項２に記載の方法。
【請求項１１】
前記フラグの前記値に基づいて、第２のフラグの値を設定することをさらに備え、前記第２のフラグは、前記ＣＲＡピクチャの復号より前に復号された少なくとも１つのピクチャが出力されるべきかどうかを示す、請求項２に記載の方法。
【請求項１２】
映像データを記憶するように構成されたメモリと、
前記メモリと通信を行うプロセッサと、
を備え、前記プロセッサは、
映像復号器において外部のインディケーションを備えるメッセージをネットワークエンティティから受信し、前記ネットワークエンティティは、前記映像復号器から別個に区別され、
前記映像復号器において、映像ビットストリームを受信し、ここにおいて、前記映像ビットストリームは、圧縮された映像データを備え、前記映像ビットストリームは前記外部のインディケーションを備えるメッセージと別個に受信され、
前記外部のインディケーションに基づいてクリーンランダムアクセス（ＣＲＡ）ピクチャをブロークンリンクアクセス（ＢＬＡ）ピクチャとして取り扱う、
ように構成されたプロセッサを備える、映像復号器。
【請求項１３】
前記外部のインディケーションは、フラグの値が前記映像復号器によって、デフォルト値または設定値のうちの一方に設定されるべきかどうかを示し、前記プロセッサは、
前記ネットワークエンティティによって特定された値に前記フラグの前記値を設定するようにさらに構成され、
前記外部のインディケーションに基づいて前記ＣＲＡピクチャをＢＬＡピクチャとして取り扱うことは、前記ネットワークエンティティによって特定された前記値に設定された前記フラグの前記値に基づいて前記ＣＲＡピクチャをＢＬＡピクチャとして取り扱うことを備える請求項１２に記載の映像復号器。
【請求項１４】
前記フラグは、前記ＣＲＡピクチャと関連付けられる請求項１３に記載の映像復号器。
【請求項１５】
前記フラグの前記デフォルト値は、前記ＣＲＡピクチャがＢＬＡピクチャとして取り扱われるべきでないことを示す、請求項１３に記載の映像復号器。
【請求項１６】
前記プロセッサは、コーディングされたスライスＮＡＬユニットを復号時に、前記設定値に設定された前記フラグに基づいて、前記コーディングされたスライスＮＡＬユニットのＮＡＬユニットタイプを変更するようにさらに構成される請求項１３に記載の映像復号器。
【請求項１７】
前記フラグは、第１のフラグを備え、前記プロセッサは、コーディングされたスライスＮＡＬユニットを復号時に、前記設定値に設定された前記第１のフラグに基づいて、第２のフラグの前記値を変更するようにさらに構成される請求項１３に記載の映像復号器。
【請求項１８】
前記フラグは第１のフラグを備え、前記プロセッサは、コーディングされたスライスＮＡＬユニットを復号時に、前記設定値に設定された前記第１のフラグに基づいて、第２のフラグの前記値を“１”に設定するようにさらに構成される、請求項１３に記載の映像復号器。
【請求項１９】
前記プロセッサは、前記ＮＡＬユニットタイプを識別するために、前記コーディングされたスライスＮＡＬユニットを構文解析するようにさらに構成される請求項１６に記載の映像復号器。
【請求項２０】
前記フラグは、第１のフラグを備え、コーディングされたスライスＮＡＬユニットを復号時に、前記第１のフラグが１に等しく、コーディングされたスライスＮＡＬユニットのＮＡＬユニットタイプがＣＲＡピクチャを示す場合は、前記プロセッサは、ＢＬＡピクチャを示すために前記ＮＡＬユニットタイプの前記値を変更するようにさらに構成される、請求項１９に記載の映像復号器。
【請求項２１】
前記フラグは、ＨａｎｄｌｅＣｒａＡｓＢｌａＦｌａｇであり、前記ＨａｎｄｌｅＣｒａＡｓＢｌａＦｌａｇは、ＣＲＡピクチャがＢＬＡピクチャとして取り扱われるべきかどうかを示す請求項１３に記載の映像復号器。
【請求項２２】
前記プロセッサは、前記フラグの前記値に基づいて、第２のフラグの値を設定するようにさらに構成され、前記第２のフラグは、前記ＣＲＡピクチャの復号より前に復号された少なくとも１つのピクチャが出力されるべきかどうかを示す、請求項１３に記載の映像復号器。
【請求項２３】
メモリと、
映像復号器において、外部のインディケーションを備えるメッセージをネットワークエンティティから受信するために、前記メモリと通信を行う手段と、前記ネットワークエンティティは、前記映像復号器とは別個に区別され、
前記映像復号器において、映像ビットストリームを受信するために、前記メモリと通信を行う手段と、ここにおいて、前記映像ビットストリームは、圧縮された映像データを備え、前記映像ビットストリームは、前記外部のインディケーションを備える前記メッセージと別個に受信される、
前記外部のインディケーションに基づいてクリーンランダムアクセス（ＣＲＡ）ピクチャをブロークンリンクアクセス（ＢＬＡ）ピクチャとして取り扱うために、前記メモリと通信を行う手段と、
を備える、映像復号器。
【請求項２４】
前記外部のインディケーションは、フラグの値が前記映像復号器によって、デフォルト値または設定値のうちの一方に設定されるべきかどうかを示し、前記映像復号器は、
前記フラグの前記値を前記ネットワークエンティティによって特定された値に設定するための手段をさらに備え、前記外部のインディケーションに基づいて前記ＣＲＡピクチャをＢＬＡピクチャとして取り扱うことは、前記ネットワークエンティティによって特定された前記値に設定された前記フラグの前記値に基づいて前記ＣＲＡピクチャをＢＬＡピクチャとして取り扱うことを備える請求項２３に記載の映像復号器。
【請求項２５】
前記フラグは、前記ＣＲＡピクチャと関連付けられる請求項２４に記載の映像復号器。
【請求項２６】
前記フラグの前記デフォルト値は、前記ＣＲＡピクチャがＢＬＡピクチャとして取り扱われるべきでないことを示す、請求項２４に記載の映像復号器。
【請求項２７】
コーディングされたスライスＮＡＬユニットを復号時に、前記設定値に設定された前記フラグに基づいて、前記コーディングされたスライスＮＡＬユニットのＮＡＬユニットタイプを変更するための手段をさらに備える請求項２４に記載の映像復号器。
【請求項２８】
前記フラグは、第１のフラグを備え、前記映像復号器は、コーディングされたスライスＮＡＬユニットを復号時に、前記設定値に設定された前記第１のフラグに基づいて、第２のフラグの前記値を変更するための手段をさらに備え、前記第２のフラグは、以前の復号されたピクチャの出力を制御する請求項２４に記載の映像復号器。
【請求項２９】
前記フラグは、第１のフラグを備え、前記映像復号器は、コーディングされたスライスＮＡＬユニットを復号時に、前記設定値に設定された前記第１のフラグに基づいて、第２のフラグの前記値を“１”に設定するための手段をさらに備え、前記第２のフラグは、以前の復号されたピクチャの出力を制御する、請求項２４に記載の映像復号器。
【請求項３０】
前記コーディングされたスライスＮＡＬユニットを復号することは、前記ＮＡＬユニットタイプを識別するために前記コーディングされたスライスＮＡＬユニットを構文解析することを含む請求項２７に記載の映像復号器。
【請求項３１】
前記フラグは、第１のフラグを備え、コーディングされたスライスＮＡＬユニットを復号時に、前記第１のフラグが１に等しく、コーディングされたスライスＮＡＬユニットのＮＡＬユニットタイプがＣＲＡピクチャを示す場合に、前記映像復号器はＢＬＡピクチャを示すために前記ＮＡＬユニットタイプの前記値を変更する請求項２４に記載の映像復号器。
【請求項３２】
前記フラグは、ＨａｎｄｌｅＣｒａＡｓＢｌａＦｌａｇであり、前記ＨａｎｄｌｅＣｒａＡｓＢｌａＦｌａｇは、ＣＲＡピクチャがＢＬＡピクチャとして取り扱われるべきかどうかを示す請求項２４に記載の映像復号器。
【請求項３３】
前記映像復号器は、前記フラグの前記値に基づいて、第２のフラグの値を設定するための手段をさらに備え、前記第２のフラグは、前記ＣＲＡピクチャの復号より前に復号された少なくとも１つのピクチャが出力されるべきかどうかを示す、請求項２４に記載の映像復号器。
【請求項３４】
非一時的なコンピュータによって読み取り可能な記憶媒体であって、実行されたときに、
映像復号器において、ネットワークエンティティから外部のインディケーションを備えるメッセージを受信し、前記ネットワークエンティティは、前記映像復号器とは別個に分離され、
前記映像復号器において、映像ビットストリームを受信し、ここにおいて、前記映像ビットストリームは、圧縮された映像データを備え、前記映像ビットストリームは前記外部のインディケーションを備える前記メッセージと別個に受信される、
前記外部のインディケーションに基づいてクリーンランダムアクセス（ＣＲＡ）ピクチャをブロークンリンクアクセス（ＢＬＡ）ピクチャとして取り扱う、
ことを映像復号デバイスの１つまたは複数のプロセッサに行わせる命令を格納する、
非一時的なコンピュータによって読み取り可能な記憶媒体。
【請求項３５】
前記外部のインディケーションは、フラグの値が前記映像復号器によって、デフォルト値または設定値のうちの一方に設定されるべきかどうかを示し、前記命令は、実行されたときに、
前記フラグの前記値を前記ネットワークエンティティによって特定された値に設定することをデバイスの前記１つまたは複数のプロセッサに行わせることをさらに備え、
前記外部のインディケーションに基づいて前記ＣＲＡピクチャをＢＬＡピクチャとして取り扱うことは、前記ネットワークエンティティによって特定された前記値に設定された前記フラグの前記値に基づいて前記ＣＲＡピクチャをＢＬＡピクチャとして取り扱うことを備える請求項３４に記載の非一時的なコンピュータによって読み取り可能な記憶媒体。
【請求項３６】
前記フラグは、前記ＣＲＡピクチャと関連付けられる請求項３５に記載の非一時的なコンピュータによって読み取り可能な記憶媒体。
【請求項３７】
前記命令は、コーディングされたスライスＮＡＬユニットを復号時に、前記設定値に設定された前記フラグに基づいて、前記コーディングされたスライスＮＡＬユニットのＮＡＬユニットタイプを変更することを前記１つまたは複数のプロセッサに行わせるようにさらに構成される請求項３５に記載の非一時的なコンピュータによって読み取り可能な記憶媒体。
【請求項３８】
前記フラグは、第１のフラグを備え、前記非一時的なコンピュータによって読み取り可能な記憶媒体は、コーディングされたスライスＮＡＬユニットを復号時に、前記設定値に設定された前記第１のフラグに基づいて、第２のフラグの前記値を変更することを前記１つまたは複数のプロセッサに行わせるようにさらに構成され、前記第２のフラグは、以前の復号されたピクチャの出力を制御する請求項３５に記載の非一時的なコンピュータによって読み取り可能な記憶媒体。
【請求項３９】
前記ＮＡＬユニットタイプを識別するために、前記コーディングされたスライスＮＡＬユニットを構文解析することを前記１つまたは複数のプロセッサに行わせるようにさらに構成される請求項３７に記載の非一時的なコンピュータによって読み取り可能な記憶媒体。
【請求項４０】
前記フラグは第１のフラグを備え、前記非一時的なコンピュータによって読み取り可能な記憶媒体は、実行されたときに、
コーディングされたスライスＮＡＬユニットを復号時に、前記設定値に設定された前記第１のフラグに基づいて、第２のフラグの値を変更することを前記デバイスの１つまたは複数のプロセッサに行わせる命令をさらに記憶し、前記第２のフラグは、以前の復号されたピクチャの出力を制御する、請求項３５に記載の非一時的なコンピュータによって読み取り可能な記憶媒体。
【請求項４１】
前記非一時的なコンピュータによって読み取り可能な記憶媒体は、実行されたときに、前記フラグの前記値に基づいて、第２のフラグの値を設定することを前記デバイスの１つまたは複数のプロセッサに行わせる命令をさらに記憶し、前記第２のフラグは、前記ＣＲＡピクチャの復号より前に復号された少なくとも１つのピクチャが出力されるべきかどうかを示す、請求項３５に記載の非一時的なコンピュータによって読み取り可能な記憶媒体。